(57)【要約】      （修正有）【課題】ベッド、床等のその他の適所における排尿、排便あるいは身体局所の洗浄を簡易に遂行しうる排尿、排便用あるいは身体局所の洗浄用装置を提供する。【解決手段】洗浄用装置１は、排尿、排便あるいは洗浄に際する排尿、排便あるいは処理水を採収納する袋体２と袋体を支持する支持体３とから構成される。袋体は、本体部２ａの上部開口部４に支持体の装入部４ａを設けるとともに本体部の下部５に底部５ａを有する。袋体は排尿、排便あるいは洗浄処理物の採収納に適した材料により形成され、柔軟性を備える。支持体は袋体の開口部を平面的かつ立体的に形成する作用を備える。【選択図】図１
0003230255.tif 000002
【実用新案登録請求の範囲】
【請求項１】
排尿、排便用あるいは臀部等の身体局所の洗浄用の採尿、便あるいは採処理物の収納用袋体と、当該袋体を支持する支持体とから構成した排尿、排使用あるいは洗浄用装置において、
前記袋体はベット、床上、その他の箇所における排尿、排便あるいは身体局所の洗浄に必要不可欠の開口部を具備することに加えてその本体は大きさ、広さ、深さを具備するとともに排尿、排便あるいは洗浄処理物を収納するのに必要不可欠の材質を具備する材質の袋体から構成し、
また、前記袋体を支持する支持体は、前記袋体の開口部を、前記排尿、排便あるいは身体の局所洗浄に際する広さ、大きさを維持しつつ開港し得る形状を具備するとともに、開口部を形成する部分を除き、その前後方向部分の形状を前記袋体が排尿、排便あるいは身体の局所の洗浄に際して、排尿、排便あるいは洗浄処理物を受納、受収納するのに便利となる形状に自由に変形形成し得る線条材料にて形成し、当該線条材料からなる支持体は前記袋体の開口部に沿って形成される装入部に、エンドレス状態にて装入することにより構成したことを特徴とするベット、床上等にて使用する排尿、排便あるいは臀部等の身体局所の洗浄用装置。
【請求項２】
前記袋体は、塩化ビニール等の合成樹脂材料にて一体的に形成するとともに、
前記支持体は、前記袋体の開口部を排尿、排便あるいは身体局所の洗浄に便ならしめ得る形状に構成し得る平面的且つ立体的形状を自由に変形し得るアルミ条線あるいはシリコン材料にて形成したことを特徴とする請求項１記載のベット、床上等にて使用する排尿、排便あるいは臀部等の身体局所の洗浄用装置。
【請求項３】
前記袋体の開口部において、前記支持体の前方部を円形にするとともにこれを垂直方向に立ち上げて、排尿あるいは洗浄水の前方部への飛散を防止し得る構成に形成し、かつ中央部は横方向の横幅を、排尿、排便あるいは臀部等の身体局部洗浄に便ならしめ得る構成に形成するとともに、その後方部を排尿、排便あるいは臀部等の身体局所の洗浄処理物の飛散を防止し得る構成に形成した全体をおまる体にて構成したことを特徴とする請求項１または請求項２記載のベット、床上等にて使用する排尿、排便あるいは臀部等の身体局所の洗浄用装置。
【請求項４】
ベットの適用に、前記支持体にて支持した袋体の開口部を開口しつつセットすることのできる凹部を開口、予め構成するとともに、当該ベットの凹部に前記袋体部を落とし込みつつその開口部を支持体にて、前記ベットの凹部の側辺部に掛けて支持することによりセットして構成したことを特徴とする請求項３記載のベット、床上等にて使用する排尿、排便あるいは臀部等の身体局所の洗浄用装置。
【請求項５】
簡易便器装置の枠台に支持される受槽に前記袋体の本体部を落とし込み、その開口部を支持体を介して受槽開口部に掛け止めしつつ袋体を支持することにより構成したことを特徴とする請求項３記載のベット、床上等にて使用する排尿、排便あるいは臀部等の身体局所の洗浄用装置。
【考案の詳細な説明】
【技術分野】
【０００１】
本考案はベット、床上等にて使用する排尿、排便あるいは臀部等の身体局所の洗浄用装置に関するものである。
【背景技術】
【０００２】
本考案のベット、床上等にて使用する排尿、排便あるいは臀部等の身体局所の洗浄用装置に関する装置としては、実用新案文献として、例えば実用新案登録第３１５９４４９号を挙げることができる。
【先行技術文献】
【特許文献】
【０００３】
【特許文献１】実用新案登録第３１５９４４９号
【考案の概要】
【考案が解決しようとする課題】
【０００４】
さて、床上等にての排尿、排便あるいは臀部等の身体局所の洗浄については以下の問題点を有する。
【０００５】
しかして、ベット上の洗浄用シートを使用する方法においては、床上排泄は望ましいことではないが、やむを得ずトイレへ行けないときや入浴ができないときなどベット上で排泄や洗浄をせざるを得ない。
【０００６】
しかし現状では、
１．  漏れ、浸み出し、流れ出しが心配で陰部だけの小範囲しか洗えない。
２．  用具を腰下に敷き込むときに労力を要する。患者の腰を持ち上げながら体を移動させる労力が辛い。等の理由から陰臀部洗浄はオムツ上で少量の水でしか行われない。
【０００７】
この結果
３．  患者に爽快感、完結感がなく陰部のみの洗浄は不充分感が残る。
４．  陰部は清潔に一番気を遣わなければならない箇所である。不潔状態では諸症状が引き起こされる。陰部は細菌培養にとって最適な環境である。それは適度な暗さ、温度、湿気、栄養すべてが揃っている。
【０００８】
５．  オムツ介助は人の老化として避けられない。しかし寝たままの姿勢では排泄物の皮膚付着は避けられない。充分な清潔を欠くことで爛れ、ビラン、発赤、尿路感染症、痒み、浸み床ずれ等の諸症状が発生し不快感を生じさせている。
【０００９】
よって、上記で述べたうち大きな問題点を抽出すると、ベット上で水を使うのが怖い、患者の腰上げ、シートへの移動の労力が増加する。
【００１０】
６．  「１．」の解決法としては、ベット上で腰回りを充分に覆う大きさで完全防水の薄いシートを敷き込むことで漏れ、浸みを防ぐ点にあり。
７．  その方法として「２．」の解決法はシート周辺に、体の位置に沿って自由に曲がるワイヤーを入れる。シート周辺より短いワイヤーを入れることで袋上部が狭くなり絞られて安定する。シートが薄く平坦ならば体を挙上せずに敷き込みが楽にできる。
【００１１】
「５．」で述べたように現実は密室で行われるおしりケアはいくらでも手抜きできるが何か症状が出ても薬を貼る、飲むなどで一時的には治癒するがコロナウィルスを始め尿便中に菌、ウィルスが排出されても洗浄用シートがない。
洗浄を軽視することで惹起する疾病に医療費、人件費の増加もある。いくら薬剤で叩いても耐性菌が生じ新たな感染症は免れない。医療、介護の原点に戻って洗浄の重要性を訴えるところである。
【００１２】
よって、本考案は以上の問題点を解決することのできるベット、床上等にて使用する排尿、排便あるいは臀部等の身体局所の洗浄用装置の提供を目的とするものである。
【課題を解決するための手段】
【００１３】
本考案は請求項１記載の装置において、排尿、排便用あるいは臀部等の身体局所の洗浄用の採尿、便あるいは採処理物の収納用袋体と、当該袋体を支持する支持体とから構成した排尿、排使用あるいは洗浄用装置において、前記袋体はベット、床上、その他の箇所における排尿、排便あるいは身体局所の洗浄に必要不可欠の開口部を具備することに加えてその本体は大きさ、広さ、深さを具備するとともに排尿、排便あるいは洗浄処理物を収納するのに必要不可欠の材質を具備する材質の袋体から構成し、また、前記袋体を支持する支持体は、前記袋体の開口部を、前記排尿、排便あるいは身体の局所洗浄に際する広さ、大きさを維持しつつ開港し得る形状を具備するとともに、開口部を形成する部分を除き、その前後方向部分の形状を前記袋体が排尿、排便あるいは身体の局所の洗浄に際して、排尿、排便あるいは洗浄処理物を受納、受収納するのに便利となる形状に自由に変形形成し得る線条材料にて形成し、当該線条材料からなる支持体は前記袋体の開口部に沿って形成される装入部に、エンドレス状態にて装入することにより構成したことを特徴とする。
【００１４】
請求項２は請求項１記載の装置において前記袋体は、塩化ビニール等の合成樹脂材料にて一体的に形成するとともに、前記支持体は、前記袋体の開口部を排尿、排便あるいは身体局所の洗浄に便ならしめ得る形状に構成し得る平面的且つ立体的形状を自由に変形し得るアルミ条線あるいはシリコン材料にて形成したことを特徴とする。
【００１５】
請求項３は請求項１または２記載の装置において、前記袋体の開口部において、前記支持体の前方部を円形にするとともにこれを垂直方向に立ち上げて、排尿あるいは洗浄水の前方部への飛散を防止し得る構成に形成し、かつ中央部は横方向の横幅を、排尿、排便あるいは臀部等の身体局部洗浄に便ならしめ得る構成に形成するとともに、その後方部を排尿、排便あるいは臀部等の身体局所の洗浄処理物の飛散を防止し得る構成に形成した全体をおまる体にて構成したことを特徴とする。
【００１６】
請求項４は請求項３記載の装置において、ベットの適用に、前記支持体にて支持した袋体の開口部を開口しつつセットすることのできる凹部を開口、予め構成するとともに、当該ベットの凹部に前記袋体部を落とし込みつつその開口部を支持体にて、前記ベットの凹部の側辺部に掛けて支持することによりセットして構成したことを特徴とする。
【００１７】
請求項５は請求項３記載の装置において、簡易便器装置の枠台に支持される受槽に前記袋体の本体部を落とし込み、その開口部を支持体を介して受槽開口部に掛け止めしつつ袋体を支持することにより構成したことを特徴とする。
【考案の効果】
【００１８】
本考案の請求項１乃至５の装置によれば袋体とこれを支持する支持体とによってベット上、その他の床上等における排尿、排便を即座に処理し得る装置を、その場所に合わせた最適装置を構成することができ、患者、介護者にとって常時必要な快適、完結感を持ち最適な環境の元に排尿、排便を遂行することができる。
【００１９】
また、同時に排尿、排便に伴う、必要に応じた陰部、臀部の洗浄処理に必要な洗浄水を用意しておくことにより洗浄を遂行することが可能で、その洗浄処理水等をも本考案袋体と当該袋体の支持体によって同時に処理することが可能である。
【００２０】
さらに、前記袋体の開口部はこれに具備する支持体によって排尿、排便以外の身体適所の洗浄箇所に対応した形状に開口支持することができ、その身体局所の洗浄をも遂行することができ、その処理水の採水処理をすることができるものである。
【図面の簡単な説明】
【００２１】
【図１】図１は、本考案の実施例１を示す一部を省略したイ−イの側断面図である。
【図２】図２は、本考案の実施例２を示す一部を切欠いて示す斜視図である。
【図３】図３は、本考案の実施例３を示す斜視図である。
【図４】図４（ａ）は、本考案の実施例４を示す斜視図、（ｂ）は実施例４を示す一部の縦断面図である。
【考案を実施するための形態】
【００２２】
以下本考案の実施例を図面とともに具体的に説明する。
【実施例１】
【００２３】
図１は本考案装置の第１実施例を示す縦段側面図で、一部を省略して示すものである。
【００２４】
図１において、１は本考案装置、すなわちベット、床上等にて使用する排尿、排便用あるいは臀部等の局所の洗浄用装置（以下単に本案装置という）で、当該本案装置１は、排尿、排便あるいは洗浄に際する排尿、排便あるいは処理水を採収納する袋体２と当該袋体２を支持する支持体３とから構成されている。
【００２５】
そして、当該本案装置１の袋体２は、本体部２ａの上部開口部４には前記支持体３の装入部４ａを設けるとともに前記本体部２ａの下部５には底部５ａを設けた有底の袋体２により構成される。
【００２６】
しかして、前記袋体２は、排尿、排便あるいは身体の臀部等の局所の洗浄に際して適用するのに必要不可欠な開口部４ａの広さ、本体部２ａの幅、深さおよび排尿、排便あるいは洗浄処理物の採収納に必要不可欠の大きさを具備する有底の袋体２により一体的に構成されている。
【００２７】
さらに、前記袋体２は排尿、排便あるいは洗浄処理物の採収納に適した材料により形成されるもので、その形成材料の合成樹脂材料としては塩化ビニールを挙げることができる。
【００２８】
さらに、前記袋体２の開口部４の広さについては、排尿、排便あるいは身体の臀部等の局所の洗浄に適用するに適した開口形状を構成するのに必要不可欠な柔軟性を備えることにより構成される。
この点については、支持体３の説明とともに後記する。
【００２９】
さて、次に本案装置１の支持体３に説明すると、当該支持体３は排尿、排便あるいは身体の臀部の局所の洗浄に際して袋体２を支持し、排尿、排便あるいは洗浄作業を容易とするとともに袋体２の開口部４において開口部４の形状構成について平面的かつ立体的な形状構成を自由な構成を形成することができるようにする作用を備えるものである。
【００３０】
すなわち、本案装置１の支持体３は、通常状態においては前記袋体２の開口部４の装入部４ａに装入し開口部４の形状に沿ってエンドレス状態に平面的には円形状態に構成される。
【００３１】
しかして、これが袋体２の開口部４に、排尿、排便あるいは身体局所の洗浄に適した構成を形成する場合には立体的に適用に応じた形成を構成し得るようにその形状を自由に変形可能にすることのできる材料にて形成する。
その材料としては、アルミ条線（例えば通常のワイヤ線等）やシリコン線等を適材としてあげることができる。
【実施例２】
【００３２】
図２は、本考案装置１の実施例２を示す斜視図である。
【００３３】
しかして、図２に示すように当該実施例２はず１で示した実施例１の本案装置１を排尿、排便あるいは身体局所の洗浄を容易にするため構成したものである。
すなわち、図２に示すように、まず袋体２の支持体３を袋体２の開口部４において、前方部６を平面的に円形湾曲にし、さらに当該前方部を立体方向に折り上げ（立ち上げ）、後方部７についても略同様の形状に湾曲し後方部７の折り曲げ部を立ち上げの高さは少なめに形成し、かつ前後方向部６，７の中央部８については排尿、排便あるいは洗浄物を採収納し易い開口部９を構成し得る幅を以て開口した形状とする構成とする。
【００３４】
また、袋体２の前後方部１０ａ，１０ｂについても袋体２の底部５ａを前後方向に広げ、かつその中央部１０ｃについても前記本案装置１の開口部９の開口形状に対応して横幅を広げた構成に整える。
【００３５】
かかる構成については、図２から明らかなとおり、排尿、排便あるいは身体局所の洗浄を容易とする形状構成、すなわち通常の「おまる」タイプの構成（以下単におまる構成体１００とする）に整えることができる。
【００３６】
図２の本案装置１は実施例１の本案装置１の袋体２の支持体３をその開口部４において、その前方部６を円形に湾曲するとともに情報に立ち上げ、男性あるいは女性の排尿に際する尿の飛散を防止する構成とするとともに、後方部７については排便を容易に受け入れ排便収納をしやすくし、かつ中央部８については、排尿、排便物を充分に収納し得るように開口部９を開口して構成することができる。
【００３７】
また、同様に身体局所の洗浄、例えば前記排尿、排便の際と同様に前記前方部６，後方部７および中央部８により洗浄処理水を受け入れ収納するとともに、これらは開口部９を介して採収納することができるものである。
【００３８】
すなわち、図２のおまる構成体１００は、ベットあるいは床上等の適当箇所における排尿、排便あるいは身体局所の洗浄を容易にする構成作用を奏することができるものである。
【実施例３】
【００３９】
図３は、本考案の実施例３を示す斜視図で、ベット２０の上で、排尿、排便あるいは身体局所、例えば排尿、排便後、臀部を洗浄する場合の使用方法を示すものである。
【００４０】
すなわち図３はベット２０の適所、例えば中央部２１に予め図２のおまる構成体１００をセットするに適した凹部２２（長方形の溝部）を形成しておく。当該凹部２２にはベットの機能を害することがないように凹部２２を平坦面に整えることができるように落とし込み体（例えばスポンジ体：不図示）を用意することにより構成する。
【００４１】
しかして前記おまる構成体１００を図３のようにセットする場合には、前記不図示の落とし込み体を凹部２２より取り外した後におまる構成体１００をセットする。
すなわち、ベット２０凹部２２におまる構成体１００の袋体２を落とし込みつつ装入するとともに支持体３により開口部４を凹部２２の長さ方向に沿って袋体２を支持せしめつつベット２０の凹部２２におまる構成体１００をセットすることができる。
【００４２】
かかるセット状態のおまる構成体１００を使用して排尿、排便をすることができる。
その際、排尿に際する尿はおまる構成体１００の前方部６の立ち上げ部により飛散を防止しつつ使用することができ、排便に際しては後方部７にてこれを受けつつ使用することができる。
同様にして臀部の洗浄に当たっても同様の作用によりベット２０上における洗浄をベット２０を汚損することなく遂行することができる。
【００４３】
尚、前記おまる構成体１００の凹部にセットする際に先立って、当該凹部２２を広い範囲内において覆うことのできるビニールシート（不図示）を敷いた後におまる構成体１００をセットして使用することによりベット２０の汚損を完全に防止することも可能である。
【００４４】
図３に示すように、おまる構成体１００の開口部９については支持体３の中央部８を広く大きく開口した状態にセットすることにより排尿、排便あるいは洗浄物の収納をより便ならしめ得ることができる。
しかる後、所要の排尿、排便あるいは洗浄行為後は、その排尿、排便あるいは洗浄処理水等の採収納物はおまる構成体１００を支持体３によって袋体２を支持しつつ処理場所に搬送し、処理することになる。
【実施例４】
【００４５】
図４は、本考案の実施例４を示す斜視図である。
そして当該実施例４は図４に示すように簡易便器装置３０におけるおまる構成体１００をセットすることにより構成したものである。
【００４６】
すなわり、当該簡易便器装置３０としては、公知の簡易便器３１、例えば枠台３２の中央部に排尿、排便の受槽３３を設けた構成から成り、この便器３１を跨いでしゃがみ込みつつ排尿、排便するタイプのものである。
【００４７】
しかして、かかる簡易便器３１の受槽３３におまる構成体１００を図示のようにセットすることにより図４の簡易便器装置３０を構成することができる。
そして使用方法としては、前記簡易便器３１を跨いでしゃがみ込み通常の方法にて排尿、排便を遂行することができる。
【００４８】
尚、処理方法としては当該簡易便器装置３０においては予めおまる構成体１００に対して、例えば４５リットルゴミ袋（不図示）を袋体２内に挿入セットした後に排尿、排便に使用することにより排尿、排便の処理はおまる構成体１００を汚損することなく前記ゴミ袋によって処理することができる。
【符号の説明】
【００４９】
１      本案装置
２      袋体
２ａ    本体部
３      支持体
４      開口部
４ａ    装入部
５      下部
５ａ    底部
６      本考案装置の前方部
７      本考案装置の後方部
８      本考案装置の中央部
９      本考案装置の開口部
１０ａ  袋体の前方部
１０ｂ  袋体の後方部
１０ｃ  袋体の中央部
２０    ベット
２１    中央部
２２    凹部
３０    簡易便座装置
３１    簡易便器
３２    枠台
３３    受槽
１００  おまる構成体
【図１】
0003230255.tif 000003
【図２】
0003230255.tif 000004
【図３】
0003230255.tif 000005
【図４】
0003230255.tif 000006
【手続補正書】
【提出日】令和2年9月30日(2020.9.30)
【手続補正１】
【補正対象書類名】明細書
【補正対象項目名】全文
【補正方法】変更
【補正の内容】
【考案の詳細な説明】
【技術分野】
【０００１】
本考案はベット、床上等にて使用する排尿、排便用あるいは臀部等の身体局所の洗浄用装置に関するものである。
【背景技術】
【０００２】
本考案のベット、床上等にて使用する排尿、排便あるいは臀部等の身体局所の洗浄用装置に関する装置としては、実用新案文献として、例えば実用新案登録第３１５９４４９号を挙げることができる。
【先行技術文献】
【特許文献】
【０００３】
【特許文献１】実用新案登録第３１５９４４９号
【考案の概要】
【考案が解決しようとする課題】
【０００４】
さて、床上等にての排尿、排便あるいは臀部等の身体局所の洗浄については以下の問題点を有する。
【０００５】
しかして、ベット上の洗浄用シートを使用する方法においては、床上排泄は望ましいことではないが、高齢等でトイレへ行けないときや入浴ができないときなどベット上で排泄や洗浄をせざるを得ない。
【０００６】
しかし現状では、
１．  漏れ、浸み出し、流れ出しが心配で陰部だけの小範囲しか洗えない。
２．  用具の周囲に漏れ防止の土手の様なものがあると、敷き込み時に腰上げに労力を要する。等の理由から陰臀部洗浄はオムツ上で少量の水でしか行われない。
【０００７】
この結果
３．  患者に爽快感、完結感がなく陰部のみの洗浄は不充分感が残る。
４．  陰部は清潔に一番気を遣わなければならない箇所である。不潔状態では諸症状が引き起こされる。陰部は細菌培養にとって最適な環境である。それは適度な暗さ、温度、湿気、栄養すべてが揃っている。
【０００８】
５．  オムツ介助は人の老化として避けられない。しかし寝たままの姿勢では排泄物の皮膚付着は避けられない。充分な清潔を欠くことで爛れ、ビラン、発赤、尿路感染症、痒み、浸み床ずれ等の諸症状が発生し不快感を生じさせている。
【０００９】
よって、上記で述べたうち大きな問題点を抽出すると、ベット上で水を使うのが怖い、患者の腰上げ、シートへの移動の労力が増加する。
【００１０】
６．  「１．」の解決法としては、ベット上で腰回りを充分に覆う大きさで完全防水の薄いシートを敷き込むことで漏れ、浸みを防ぐ点にあり。
７．  その方法として「２．」の解決法はシート周辺に、体の位置に沿って自由に曲がるワイヤーを入れる。シート周辺より短いワイヤーを入れることで袋上部が狭くなり絞られて望む形状に保持される。先にシートを敷いてその上に寝かせる労力は過重で現実的ではない。薄いシート状のものをマットレスや布団の弾性を利用して腰の位置に敷き込み周囲を立ち上げて腰全体を包むことで体位移動をさせずに寝ている位置で安全に水や給水するオムツ等を使える。
【００１１】
「５．」で述べたように現実は密室で行われるおしりケアはいくらでも手抜きできるが何か症状が出ても薬を貼る、飲むなどで一時的には治癒するがコロナウィルスを始め尿便中に菌、ウィルスが排出されても洗浄用シートがない。
洗浄を軽視することで惹起する疾病に医療費、人件費の増加もある。いくら薬剤で叩いても耐性菌が生じ新たな感染症は免れない。医療、介護の原点に戻って洗浄の重要性を訴えるところである。
【００１２】
よって、本考案は以上の問題点を解決することのできるベット、床上等にて使用する排尿、排便用あるいは臀部等の身体局所の洗浄用装置の提供を目的とするものである。
【課題を解決するための手段】
【００１３】
本考案は請求項１記載の装置において、排尿、排便用あるいは臀部等の身体局所の洗浄用の採尿、便あるいは採処理物の収納用袋体と、当該袋体を支持する支持体とから構成した排尿、排便用あるいは洗浄用装置において、前記袋体はベット、床上、その他の箇所における排尿、排便あるいは身体局所の洗浄に必要不可欠の開口部を具備することに加えてその本体は大きさ、広さ、深さを具備するとともに排尿、排便あるいは洗浄処理物を収納するのに必要不可欠の材質を具備する材質の袋体から構成し、また、前記袋体を支持する支持体は、前記袋体の開口部を、前記排尿、排便あるいは身体の局所洗浄に際する広さ、大きさを維持しつつ開口し得る形状を具備するとともに、当該開口部を形成する部分を除き、その前後方向部分の形状を前記袋体が排尿、排便あるいは身体の局所の洗浄に際して、排尿、排便あるいは洗浄処理物を受納、受収納するのに便利となる形状に自由に変形形成し得る線条材料にて形成し、当該線条材料からなる支持体は前記袋体の開口部に沿って形成される装入部に、エンドレス状態にて装入することにより構成したことを特徴とする。
【００１４】
請求項２は請求項１記載の装置において前記袋体は、塩化ビニール等の合成樹脂材料にて一体的に形成するとともに、前記支持体は、前記袋体の開口部を排尿、排便あるいは身体局所の洗浄に便ならしめ得る形状に構成し得る平面的且つ立体的形状を自由に変形し得るアルミ条線あるいはシリコン材料から成るシリコン線にて形成したことを特徴とする。
【００１５】
請求項３は請求項１または２記載の装置において、前記袋体の開口部において、前記支持体の前方部を円形にするとともにこれを垂直方向に立ち上げて、排尿あるいは洗浄水の前方部への飛散を防止し得る構成に形成し、かつ中央部は横方向の横幅を、排尿、排便あるいは臀部等の身体局部洗浄に便ならしめ得る構成に形成するとともに、その後方部を排尿、排便あるいは臀部等の身体局所の洗浄処理物の飛散を防止し得る構成に形成した全体をおまる構成体にて構成したことを特徴とする。
【００１６】
請求項４は請求項３記載の装置において、ベットの適用に、前記支持体にて支持した袋体の開口部を開口しつつセットすることのできる凹部を開口して、予め構成するとともに、当該ベットの凹部に前記袋体部を落とし込みつつその開口部を支持体にて、前記ベットの凹部の側辺部に掛けて支持することにより前記おまる構成体をセットして構成したことを特徴とする。
【００１７】
請求項５は請求項３記載の装置において、簡易便器装置の枠台に支持される受槽に前記袋体の本体部を落とし込み、その開口部を支持体を介して受槽開口部に掛け止めしつつ袋体を支持することにより構成したことを特徴とする。
【考案の効果】
【００１８】
本考案の請求項１乃至５の装置によれば袋体とこれを支持する支持体とによってベット上、その他の床上等における排尿、排便を即座に処理し得る装置を、その場所に合わせた最適装置を構成することができ、患者、介護者にとって常時必要な快適、完結感を持ち最適な環境の元に排尿、排便を遂行することができる。
【００１９】
また、同時に排尿、排便に伴う、必要に応じた陰部、臀部の洗浄処理に必要な洗浄水を用意しておくことにより洗浄を遂行することが可能で、その洗浄処理水等をも本考案袋体と当該袋体の支持体によって同時に処理することが可能である。
【００２０】
さらに、前記袋体の開口部はこれに具備する支持体によって排尿、排便以外の身体適所の洗浄箇所に対応した形状に開口支持することができ、その身体局所の洗浄をも遂行することができ、その処理水の採水処理をすることができるものである。
【図面の簡単な説明】
【００２１】
【図１】図１は、本考案の本案装置の実施例１を示す一部を省略した側断面図である。
【図２】図２は、本考案の実施例２を示す一部を切欠いて示すおまる構成体の斜視図である。
【図３】図３は、本考案の実施例３を示すベット上におまる構成体をセットした平面図である。
【図４】図４（ａ）は、本考案の実施例４を示す簡易便器装置の斜視図、（ｂ）は実施例４を示す簡易便器の一部の縦断面図である。
【考案を実施するための形態】
【００２２】
以下本考案の実施例を図面とともに具体的に説明する。
【実施例１】
【００２３】
図１は本考案装置の第１実施例を示す本案装置の側断面図で、一部を省略して示すものである。
【００２４】
図１において、１は本考案装置、すなわちベット、床上等にて使用する排尿、排便用あるいは臀部等の局所の洗浄用装置（以下単に本案装置という）で、当該本案装置１は、排尿、排便あるいは洗浄に際する排尿、排便あるいは処理水を採収納する袋体２と当該袋体２を支持する支持体３とから構成されている。
【００２５】
そして、当該本案装置１の袋体２は、本体部２ａの上部開口部４には前記支持体３の装入部４ａを設けるとともに前記本体部２ａの下部５には底部５ａを設けた有底の袋体２により構成される。
【００２６】
しかして、前記袋体２は、排尿、排便あるいは身体の臀部等の局所の洗浄に際して適用するのに必要不可欠な開口部４の広さ、本体部２ａの幅、深さおよび排尿、排便あるいは洗浄処理物の採収納に必要不可欠の大きさを具備する有底の袋体２により一体的に構成されている。
【００２７】
さらに、前記袋体２は排尿、排便あるいは洗浄処理物の採収納に適した材料により形成されるもので、その形成材料の合成樹脂材料としては塩化ビニールを挙げることができる。
【００２８】
さらに、前記袋体２の開口部４の広さについては、排尿、排便あるいは身体の臀部等の局所の洗浄に適用するに適した開口形状を構成するのに必要不可欠な柔軟性を備えることにより構成される。
この点については、支持体３の説明とともに後記する。
【００２９】
さて、次に本案装置１の支持体３について説明すると、当該支持体３は排尿、排便あるいは身体の臀部等の身体局所の洗浄に際して袋体２を支持し、排尿、排便あるいは洗浄作業を容易とするとともに袋体２の開口部４において開口部４の形状構成について平面的かつ立体的な形状構成を自由な構成を形成することができるようにする作用を備えるものである。
【００３０】
すなわち、本案装置１の支持体３は、通常状態においては前記袋体２の開口部４の装入部４ａに装入し開口部４の形状に沿ってエンドレス状態に平面的には円形状態に構成される。
【００３１】
しかして、これが袋体２の開口部４に、排尿、排便あるいは身体局所の洗浄に適した構成を形成する場合には立体的に適用に応じた形成を構成し得るようにその形状を自由に変形可能にすることのできる材料にて形成する。
その材料としては、アルミ条線（例えば通常のワイヤ線等）やシリコン線等を適材としてあげることができる。
【実施例２】
【００３２】
図２は、本案装置１の実施例２を示す斜視図である。
【００３３】
しかして、図２に示すように当該実施例２は図１で示した実施例１の本案装置１を排尿、排便あるいは身体局所の洗浄を容易にするため構成したものである。
すなわち、図２に示すように、まず袋体２の支持体３を袋体２の開口部４において、前方部６を平面的に円形湾曲にし、さらに当該前方部６を立体方向に折り上げ（立ち上げ）、後方部７についても略同様の形状に湾曲し後方部７の折り曲げ部を立ち上げの高さは少なめに形成し、かつ前後方向部６，７の中央部８については排尿、排便あるいは洗浄物を採収納し易い開口部９を構成し得る幅を以て開口した形状とする構成とする。
【００３４】
また、袋体２の前後方部１０ａ，１０ｂについても袋体２の底部５ａを前後方向に広げ、かつその中央部１０ｃについても前記本案装置１の開口部９の開口形状に対応して横幅を広げた構成に整える。
【００３５】
かかる構成については、図２から明らかなとおり、排尿、排便あるいは身体局所の洗浄を容易とする形状構成、すなわち通常の「おまる」タイプの構成（以下単におまる構成体１００とする）に整えることができる。
【００３６】
図２の本案装置１は実施例１の本案装置１の袋体２の支持体３をその開口部４において、その前方部６を円形に湾曲するとともに上方に立ち上げ、男性あるいは女性の排尿に際する尿の飛散を防止する構成とするとともに、後方部７については排便を容易に受け入れ排便収納をしやすくし、かつ中央部８については、排尿、排便物を充分に収納し得るように開口部９を開口して構成することができる。
【００３７】
また、同様に身体局所の洗浄、例えば前記排尿、排便の際と同様に前記前方部６，後方部７および中央部８により洗浄処理水を受け入れ収納するとともに、これらは開口部９を介して採収納することができるものである。
【００３８】
すなわち、図２のおまる構成体１００は、ベットあるいは床上等の適当箇所における排尿、排便あるいは身体局所の洗浄を容易にする構成作用を奏することができるものである。
【実施例３】
【００３９】
図３は、本考案の実施例３を示す斜視図で、ベット２０の上で、排尿、排便あるいは身体局所、例えば排尿、排便後、臀部を洗浄する場合の使用方法を示すものである。
【００４０】
すなわち図３はベット２０の適所、例えば中央部２１に予め図２のおまる構成体１００をセットするに適した凹部２２（長方形の溝部）を形成しておく。当該凹部２２にはベットの機能を害することがないように凹部２２を平坦面に整えることができるように落とし込み体（例えばスポンジ体：不図示）を用意することにより構成する。
【００４１】
しかして前記おまる構成体１００を図３のようにセットする場合には、前記不図示の落とし込み体を凹部２２より取り外した後におまる構成体１００をセットする。
すなわち、ベット２０の凹部２２におまる構成体１００の袋体２を落とし込みつつ装入するとともに支持体３により開口部４を凹部２２の長さ方向に沿って袋体２を支持せしめつつベット２０の凹部２２におまる構成体１００をセットすることができる。
【００４２】
かかるセット状態のおまる構成体１００を使用して排尿、排便をすることができる。
その際、排尿に際する尿はおまる構成体１００の前方部６の立ち上げ部により飛散を防止しつつ使用することができ、排便に際しては後方部７にてこれを受けつつ使用することができる。
同様にして臀部の洗浄に当たっても同様の作用によりベット２０上における洗浄をベット２０を汚損することなく遂行することができる。
【００４３】
尚、前記おまる構成体１００の凹部にセットする際に先立って、当該凹部２２を広い範囲内において覆うことのできるビニールシート（不図示）を敷いた後におまる構成体１００をセットして使用することによりベット２０の汚損を完全に防止することも可能である。
【００４４】
図３に示すように、おまる構成体１００の開口部９については支持体３の中央部８を広く大きく開口した状態にセットすることにより排尿、排便あるいは洗浄物の収納をより便ならしめ得ることができる。
しかる後、所要の排尿、排便あるいは洗浄行為後は、その排尿、排便あるいは洗浄処理水等の採収納物はおまる構成体１００を支持体３によって袋体２を支持しつつ処理場所に搬送し、処理することになる。
【実施例４】
【００４５】
図４は、本考案の実施例４を示す斜視図である。
そして当該実施例４は図４に示すように簡易便器装置３０におけるおまる構成体１００をセットすることにより構成したものである。
【００４６】
すなわり、当該簡易便器装置３０としては、公知の簡易便器３１、例えば枠台３２の中央部に排尿、排便の受槽３３を設けた構成から成り、この便器３１を跨いでしゃがみ込みつつ排尿、排便するタイプのものである。
【００４７】
しかして、かかる簡易便器３１の受槽３３におまる構成体１００を図示のようにセットすることにより図４の簡易便器装置３０を構成することができる。
そして使用方法としては、前記簡易便器３１を跨いでしゃがみ込み通常の方法にて排尿、排便を遂行することができる。
【００４８】
尚、処理方法としては当該簡易便器装置３０においては予めおまる構成体１００に対して、例えば４５リットルゴミ袋（不図示）を袋体２内に装入セットした後に排尿、排便に使用することにより排尿、排便の処理はおまる構成体１００を汚損することなく前記ゴミ袋によって処理することができる。
【符号の説明】
【００４９】
１      本案装置
２      袋体
２ａ    本体部
３      支持体
４      開口部
４ａ    装入部
５      下部
５ａ    底部
６      本案装置の前方部
７      本案装置の後方部
８      本案装置の中央部
９      本案装置の開口部
１０ａ  袋体の前方部
１０ｂ  袋体の後方部
１０ｃ  袋体の中央部
２０    ベット
２１    中央部
２２    凹部
３０    簡易便座装置
３１    簡易便器
３２    枠台
３３    受槽
１００  おまる構成体
【手続補正２】
【補正対象書類名】実用新案登録請求の範囲
【補正対象項目名】全文
【補正方法】変更
【補正の内容】
【実用新案登録請求の範囲】
【請求項１】
排尿、排便用あるいは臀部等の身体局所の洗浄用の採尿、便あるいは採処理物の収納用袋体と、当該袋体を支持する支持体とから構成した排尿、排便用あるいは洗浄用装置において、
前記袋体はベット、床上、その他の箇所における排尿、排便あるいは身体局所の洗浄に必要不可欠の開口部を具備することに加えてその本体は大きさ、広さ、深さを具備するとともに排尿、排便あるいは洗浄処理物を収納するのに必要不可欠の材質を具備する材質の袋体から構成し、
また、前記袋体を支持する支持体は、前記袋体の開口部を、前記排尿、排便あるいは身体の局所洗浄に際する広さ、大きさを維持しつつ開口し得る形状を具備するとともに、開口部を形成する部分を除き、その前後方向部分の形状を前記袋体が排尿、排便あるいは身体の局所の洗浄に際して、排尿、排便あるいは洗浄処理物を受納、受収納するのに便利となる形状に自由に変形形成し得る線条材料にて形成し、当該線条材料からなる支持体は前記袋体の開口部に沿って形成される装入部に、エンドレス状態にて装入することにより構成したことを特徴とするベット、床上等にて使用する排尿、排便用あるいは臀部等の身体局所の洗浄用装置。
【請求項２】
前記袋体は、塩化ビニール等の合成樹脂材料にて一体的に形成するとともに、
前記支持体は、前記袋体の開口部を排尿、排便あるいは身体局所の洗浄に便ならしめ得る形状に構成し得る平面的且つ立体的形状を自由に変形し得るアルミ条線あるいはシリコン材料にて形成したことを特徴とする請求項１記載のベット、床上等にて使用する排尿、排便用あるいは臀部等の身体局所の洗浄用装置。
【請求項３】
前記袋体の開口部において、前記支持体の前方部を円形にするとともにこれを垂直方向に立ち上げて、排尿あるいは洗浄水の前方部への飛散を防止し得る構成に形成し、かつ中央部は横方向の横幅を、排尿、排便あるいは臀部等の身体局部洗浄に便ならしめ得る構成に形成するとともに、その後方部を排尿、排便あるいは臀部等の身体局所の洗浄処理物の飛散を防止し得る構成に形成した全体をおまる構成体にて構成したことを特徴とする請求項１または請求項２記載のベット、床上等にて使用する排尿、排便用あるいは臀部等の身体局所の洗浄用装置。
【請求項４】
ベットの適用に、前記支持体にて支持した袋体の開口部を開口しつつセットすることのできる凹部を開口して、予め構成するとともに、当該ベットの凹部に前記袋体部を落とし込みつつその開口部を支持体にて、前記ベットの凹部の側辺部に掛けて支持することによりセットして構成したことを特徴とする請求項３記載のベット、床上等にて使用する排尿、排便用あるいは臀部等の身体局所の洗浄用装置。
【請求項５】
簡易便器装置の枠台に支持される受槽に前記袋体の本体部を落とし込み、その開口部を支持体を介して受槽開口部に掛け止めしつつ袋体を支持することにより構成したことを特徴とする請求項３記載のベット、床上等にて使用する排尿、排便用あるいは臀部等の身体局所の洗浄用装置。